(57)【要約】【課題】  通信端末間で複数種の画像コンテンツを送信することで、多様な情報を伝達可能になる。しかしながら、コミュニケーションの進捗に伴って、表示される画像コンテンツが増加すると、通信端末毎に画像コンテンツを表示可能なスペースは限られているため、視認性が低下する。【解決手段】  通話端末１０の送受信部１１は、他の通話端末１０によって送信される撮像画像データ及び入力画像データを受信する。通話端末１０の表示制御部１４は、送受信部１１によって受信された撮像画像データに基づく撮像画像、及び送受信部１１によって受信された入力画像データに基づく入力画像を表示するか、若しくは撮像画像、又は入力画像の一方を表示するかを制御する。【選択図】図９
2018041990.tif 000002
【特許請求の範囲】
【請求項１】
他の通信端末によって送信される第１のコンテンツデータ及び第２のコンテンツデータを受信する受信手段と、
前記受信手段によって受信された前記第１のコンテンツデータに基づく第１の画像、及び前記受信手段によって受信された前記第２のコンテンツデータに基づく第２の画像を表示するか、若しくは前記第１の画像、又は前記第２の画像の一方を表示するかを制御する表示制御手段と、
を有することを特徴とする通信端末。
【請求項２】
前記表示制御手段は、前記第２の画像の透過度を設定し、
当該通信端末において、前記第１の画像及び前記表示制御手段によって設定された透過度の前記第２の画像を重畳して表示することを特徴とする請求項１に記載の通信端末。
【請求項３】
前記受信手段によって新たな前記第２のコンテンツデータが受信される前後で、前記表示制御手段は、前記第２の画像を異なる透過度に設定することを特徴とする請求項２に記載の通信端末。
【請求項４】
前記受信手段によって新たな前記第２のコンテンツデータが受信されてから所定の時間経過すると、前記表示制御手段は、前記第２の画像を、新たな前記第２のコンテンツデータが受信される前の透過度に設定することを特徴とする請求項３に記載の通信端末。
【請求項５】
操作入力を受け付ける操作入力受付手段を有しており、
前記表示制御手段は、前記操作入力受付手段によって受け付けられた前記操作入力に基づいて、前記第２の画像の透過度を設定することを特徴とする請求項２乃至４のいずれか一項に記載の通信端末。
【請求項６】
前記第１のコンテンツデータは、撮像された画像に基づいて生成される画像データであり、
前記第２のコンテンツデータは、入力された画像に基づいて生成される画像データであり、
前記他の通信端末との間の通信セッションが確立されるときに、当該通信端末において、前記画像の入力を受け付けるためのインタフェースを表示することを特徴とする請求項５に記載の通信端末。
【請求項７】
請求項１乃至６のいずれか一項に記載の通信端末を複数備えたことを特徴とする通信システム。
【請求項８】
更に、通信端末間で前記第１のコンテンツデータを送信するための通信セッション、及び前記通信端末間で前記第２のコンテンツデータを送信するための通信セッションを確立する制御を行う制御装置を備えたことを特徴とする請求項７に記載の通信システム。
【請求項９】
通信端末が、
他の通信端末によって送信される第１のコンテンツデータ及び第２のコンテンツデータを受信する受信処理と、
前記受信処理によって受信された前記第１のコンテンツデータに基づく第１の画像、及び前記受信処理によって受信された前記第２のコンテンツデータに基づく第２の画像を表示するか、若しくは前記第１の画像、又は前記第２の画像の一方を表示するかを制御する表示制御処理と、
を実行することを特徴とする表示制御方法。
【請求項１０】
前記通信端末に、請求項９に記載の各処理を実行させることを特徴とするプログラム。
【発明の詳細な説明】
【技術分野】
【０００１】
本発明は、通信端末、通信システム、表示制御方法、及びプログラムに関する。
【背景技術】
【０００２】
近年、当事者の移動の経費や時間を削減する要請等に伴い、インターネットや専用線等の通信ネットワークを介して通話や会議等を行う通信システムが普及している。このような通信システムでは、通信端末間で通信を開始すると、画像データ及び音データ等のコンテンツデータの送受信が行われ、拠点間のコミュニケーションを実現する。最近では、会議機能に特化した専用端末間だけでなく、会議用のアプリケーションがインストールされたタブレットやスマートフォン等の汎用端末間で各種コンテンツデータを送信できるようになっている。
【０００３】
また、拠点間のコミュニケーションを円滑に行うために、複数種の画像コンテンツを拠点間で送信する方法が提案されている。例えば、特許文献１には、端末装置から全ての端末装置へ議事進行用の会議の議事項目を送信する一方で、各端末装置において手書き入力された手書き情報である手書きデータを他の端末装置へ送信する方法が開示されている。各端末装置は、受信した議事項目及び手書きデータを同一ウインドウ上に表示する。
【発明の概要】
【発明が解決しようとする課題】
【０００４】
通信端末間で複数種の画像コンテンツを送信することで、多様な情報を伝達可能になる。しかしながら、コミュニケーションの進捗に伴って、表示される画像コンテンツが増加すると、通信端末毎に画像コンテンツを表示可能なスペースは限られているため、視認性が低下するという課題が生じる。
【課題を解決するための手段】
【０００５】
請求項１に係る発明の通信端末は、他の通信端末によって送信される第１のコンテンツデータ及び第２のコンテンツデータを受信する受信手段と、前記受信手段によって受信された前記第１のコンテンツデータに基づく第１の画像、及び前記受信手段によって受信された前記第２のコンテンツデータに基づく第２の画像を表示するか、若しくは前記第１の画像、又は前記第２の画像の一方を表示するかを制御する表示制御手段と、を有することを特徴とする。
【発明の効果】
【０００６】
以上説明したように本発明によれば、通信端末間で複数種の画像コンテンツを送信する場合に、通信端末において表示される画像コンテンツの視認性を向上させることが可能になるという効果を奏する。
【図面の簡単な説明】
【０００７】
【図１】一実施形態に係る通信システムの概略図である。
【図２】一実施形態に係る通話端末のハードウェア構成図である。
【図３】一実施形態に係る管理システムのハードウェア構成図である。
【図４】一実施形態に係る通話端末、及び管理システムの各機能ブロック図である。
【図５】通話端末と管理システムとの間のセッションを確立する処理を示したシーケンス図である。
【図６】通話端末間のセッションを確立する処理を示したシーケンス図である。
【図７】画像の表示を制御する処理を示したフロー図である。
【図８】表示画像の一例を示す図である。
【図９】表示画像の一例を示す図である。
【図１０】表示画像の一例を示す図である。
【図１１】表示画像の一例を示す図である。
【図１２】画像の表示を制御する処理を示したフロー図である。
【発明を実施するための形態】
【０００８】
以下、本発明の実施形態について説明する。
【０００９】
＜＜実施形態の全体構成＞＞
図１は、本発明の一実施形態に係る通信システムの概略図である。図１に示されているように、通信システム１は、スマートフォンが一例である通話端末（１０ａ，１０ｂ）、通話端末（１０ａ，１０ｂ）間でコンテンツデータを中継するための中継装置３０及び情報共有システム４０、並びに、通話端末１０を管理する管理システム５０によって構築されている。以下、通話端末（１０ａ，１０ｂ）のうち任意の通話端末を表す場合は、通話端末１０と記載する。管理システム５０は、サーバ機能を備えたコンピュータである。中継装置３０は、各通話端末１０において撮像された画像（映像）に係る撮像画像データ、各通話端末１０において集音された音に係る音データを中継する。情報共有システム４０は、各通話端末１０のタッチパネルの操作により入力された画像に係る入力画像データを中継する。
【００１０】
この通信システム１によって、通話端末（１０ａ，１０ｂ）のユーザ間で、通話を行うことができる。この通話は、通話端末（１０ａ，１０ｂ）間で、音、撮像画像（映像）、又は、音及び撮像画像（映像）を相互に送信することによって実現することができる。また、通話端末（１０ａ，１０ｂ）間で、文字、図形、記号等が描かれた入力画像を共有することができる。
【００１１】
また、通話端末１０、中継装置３０、情報共有システム４０、及び管理システム５０は、インターネット、携帯電話網、あるいは、ＬＡＮ(Local Area Network)等の通信ネットワーク２によって通信可能である。通信ネットワーク２には、通話端末１０と通信を行うための携帯電話網の末端にある基地局（８ａ，８ｂ）も含まれている。以下、基地局（８ａ，８ｂ）のうち任意の基地局を表す場合は、基地局８と記載する。なお、図１では、説明を簡単にするために、通信システム１に２台の通話端末１０が表されているが、３台以上の通話端末１０が設けられていても良い。また、通話端末１０として、テレビ会議の機能に特化した専用端末、あるいはＰＣ（Personal Computer）やタブレット等の汎用端末が含まれていても良い。
【００１２】
＜＜実施形態のハードウェア構成＞＞
図２は、一実施形態に係る通話端末１０のハードウェア構成図である。図２に示されているように、通話端末１０は、通話端末１０全体の動作を制御するＣＰＵ１０１、プログラムを記憶したＲＯＭ(Read Only Memory)１０２、ＣＰＵ１０１のワークエリアとして使用されるＲＡＭ１０３、ＣＰＵ１０１の制御にしたがってデータの読み出し又は書き込みを行うＥＥＰＲＯＭ（Electrically Erasable and Programmable ROM）１０４、フラッシュメモリ等の記録メディア１０６に対するデータの読み出し又は書き込み（記憶）を制御するメディアドライブ１０７を備えている。そして、メディアドライブ１０７の制御に従って、既に記録されていたデータが読み出され、又は新たにデータが書き込まれて記憶する記録メディア１０６が着脱自在な構成となっている。なお、ＥＥＰＲＯＭ１０４には、ＣＰＵ１０１が実行するオペレーティングシステム（ＯＳ）、その他のプログラム、及び、種々データが記憶されている。
【００１３】
更に、通話端末１０は、アンテナ１１１ａ、このアンテナ１１１ａを利用して無線通信信号により、最寄りの基地局８と通信を行う通信回路１１１を備えている。更に通話端末１０は、ＣＰＵ１０１の制御に従って被写体を撮像し撮像画像データを得るＣＭＯＳ(Complementary Metal Oxide Semiconductor)センサ１１２、音を音信号に変換する音入力部１１４、音信号を音に変換する音出力部１１５を備えている。なお、ＣＭＯＳセンサ１１２は、光を電荷に変換して被写体の画像を電子化する電荷結合素子である。被写体を撮像することができれば、ＣＭＯＳセンサに限らず、ＣＣＤ(Charge Coupled Device)センサを用いてもよい。また、音入力部１１４は、音を入力するマイクが含まれ、音出力部１１５には、音を出力するスピーカが含まれている。更に通話端末１０は、被写体や各種アイコン等の画像を表示する液晶や有機ＥＬなどのディスプレイ１２０、このディスプレイ１２０上に載せられ、感圧式又は静電式のパネルによって構成され、指やタッチペン等によるタッチによってディスプレイ１２０上におけるタッチ位置を検出するタッチパネル１２１を備えている。更に、通話端末１０は、上記各部を電気的に接続するためのアドレスバスやデータバス等のバスライン１１０を備えている。
【００１４】
図３は、一実施形態に係る管理システム５０のハードウェア構成図である。管理システム５０は、管理システム５０全体の動作を制御するＣＰＵ５０１、ＩＰＬ等のＣＰＵ５０１の駆動に用いられるプログラムを記憶したＲＯＭ５０２、ＣＰＵ５０１のワークエリアとして使用されるＲＡＭ５０３、管理システム５０用のプログラム等の各種データを記憶するＨＤ５０４、ＣＰＵ５０１の制御にしたがってＨＤ５０４に対する各種データの読み出し又は書き込みを制御するＨＤＤ(Hard Disk Drive)５０５、フラッシュメモリ等の記録メディア５０６に対するデータの読み出し又は書き込み（記憶）を制御するメディアドライブ５０７、カーソル、メニュー、ウィンドウ、文字、又は画像などの各種情報を表示するディスプレイ５０８、通信ネットワーク２を利用してデータ通信するためのネットワークＩ／Ｆ５０９、文字、数値、各種指示などの入力のための複数のキーを備えたキーボード５１１、各種指示の選択や実行、処理対象の選択、カーソルの移動などを行うマウス５１２、着脱可能な記録媒体の一例としてのＣＤ−ＲＯＭ(Compact Disc Read Only Memory)５１３に対する各種データの読み出し又は書き込みを制御するＣＤ−ＲＯＭドライブ５１４、及び、上記各構成要素を図３に示されているように電気的に接続するためのアドレスバスやデータバス等のバスライン５１０を備えている。なお、中継装置３０、情報共有システム４０は、管理システム５０と同様のハードウェア構成を有するため説明を省略する。
【００１５】
＜＜実施形態の機能構成＞＞
次に、本実施形態の機能構成について説明する。図４は、一実施形態に係る通信システム１の一部を構成する通話端末１０、及び管理システム５０の機能ブロック図である。図４では、通話端末１０、及び管理システム５０が、通信ネットワーク２を介してデータ通信することができるように接続されている。
【００１６】
＜通話端末の機能構成＞
通話端末１０は、送受信部１１、操作入力受付部１２、解析部１３、表示制御部１４、及び記憶・読出部１９を有している。これら各部は、図２に示されている各構成要素のいずれかが、ＥＥＰＲＯＭ１０４からＲＡＭ１０３上に展開されたプログラムに従ったＣＰＵ１０１からの命令によって動作することで実現される機能である。また、通話端末１０は、ＲＯＭ１０２、ＲＡＭ１０３、ＥＥＰＲＯＭ１０４、及び記録メディア１０６によって構築される記憶部１０００を有している。
【００１７】
記憶部１０００の不揮発性の記憶領域には、会議用アプリケーションが格納されている。会議用アプリケーションは、通話端末１０上で、撮像された撮像画像を通話端末１０間で送信するための機能、及び、タッチパネル１２１の操作により入力された入力画像を通話端末１０間で共有するための機能を実現する。従来の通話端末において、撮像画像を通話端末間で送信するための機能と、入力画像を通話端末間で共有する機能は独立していた。このため、通話端末間で会議が開始されても、ユーザが入力画像を共有する機能に気づかずに、この機能が利用されないことがあった。これに対して、本実施形態によると、会議用アプリケーションを起動することで、両方の機能が利用可能な状態となる。
【００１８】
（通話端末の各機能構成）
次に、通話端末１０の各機能構成について詳細に説明する。なお、以下では、通話端末１０の各機能構成を説明するにあたって、図４に示されている各構成要素のうち、通話端末１０の各機能構成を実現させるための主な構成要素との関係も説明する。
【００１９】
通話端末１０の送受信部１１は、ＣＰＵ１０１からの命令、及び通信回路１１１によって実現され、通信ネットワーク２を介して、相手側の通話端末、各装置又はシステム等と各種データ（または情報）の送受信を行う。
【００２０】
操作入力受付部１２は、ＣＰＵ１０１からの命令、及びタッチパネル１２１によって実現され、ユーザによる各種操作入力を受け付けたり、ユーザによる各種選択を受け付ける。上記の操作には、タッチパネル１２１へのタップやストローク、スワイプ操作が含まれる。
【００２１】
解析部１３は、ＣＰＵ１０１からの命令によって実現され、操作入力受付部１２によって受け付けられた操作情報を解析する。例えば、解析部１３は、タッチパネル１２１へのタップやストローク、スワイプ操作を示す操作情報を座標情報に変換して他の機能部に受け渡す。
【００２２】
表示制御部１４は、ＣＰＵ１０１からの命令によって実現され、相手側の通話端末から送られてきた撮像画像データまたは入力画像データ、並びに、自端末において生成した撮像画像データまたは入力画像データをディスプレイ１２０に送信するための制御を行う。  
【００２３】
記憶・読出部１９は、ＣＰＵ１０１からの命令によって実現され、記憶部１０００に各種データを記憶したり、記憶部１０００に記憶された各種データを抽出する処理を行う。
【００２４】
＜管理システムの機能構成＞
管理システム５０は、送受信部５１、認証部５２、管理部５３、セッション制御部５８、及び記憶・読出部５９を有している。これら各部は、図３に示されている各構成要素のいずれかが、ＨＤ５０４からＲＡＭ５０３上に展開された管理システム５０用のプログラムに従ったＣＰＵ５０１からの命令によって動作することで実現される機能又は手段である。また、管理システム５０は、ＨＤ５０４により構築される記憶部５０００を有している。
【００２５】
（端末管理テーブル）
表１は、端末管理テーブルを示す概念図である。記憶部５０００には端末管理テーブルによって構築される端末管理ＤＢ５００２が記憶されている。この端末管理テーブルでは、各通話端末１０の通信ＩＤ毎に、端末名、各通話端末１０の稼動状態、及び各通話端末１０のＩＰアドレスが関連付けられて管理される。なお、通信ＩＤは、通信システム１において通信先の端末１０を識別するための情報である。通信ＩＤとしては、通信先の端末１０を特定可能な情報であれば特に限定されないが、例えば、端末１０を識別する情報、端末１０のユーザを識別する情報等が含まれる。また、稼働状態には、通話端末１０が管理システム５０と接続している状態を示す「オンライン」、通話端末１０が管理システム５０と接続していない状態を示す「オフライン」が含まれる。更に、オンラインには、この通信ＩＤで示された通話端末１０と「通信可能」、及びこの通信ＩＤで示された通話端末１０が「通信中」の各状態がある。
【００２６】
【表１】
2018041990.tif 000003
【００２７】
（管理システムの各機能構成）
次に、管理システム５０の各機能構成について詳細に説明する。なお、以下では、管理システム５０の各機能構成を説明するにあたって、図３に示されている各構成要素のうち、管理システム５０の各機能構成を実現させるための主な構成要素との関係も説明する。
【００２８】
送受信部５１は、ＣＰＵ５０１からの命令、及びネットワークＩ／Ｆ５０９によって実現され、通信ネットワーク２を介して各通話端末、装置又はシステムと各種データ（または情報）の送受信を行う。
【００２９】
認証部５２は、ＣＰＵ５０１からの命令によって実現され、送受信部５１で受信された通信ＩＤ及びパスワードを検索キーとして、記憶部５０００に同一の通信ＩＤ及びパスワードが管理されているかを判断することによって通話端末１０の認証を行う。
【００３０】
管理部５３は、ＣＰＵ５０１からの命令によって実現され、端末管理テーブル（表１参照）で、通話端末１０の通信ＩＤ及び端末名毎に、通話端末１０の稼動状態、及びＩＰアドレスを関連付けて記憶して管理する。
【００３１】
セッション制御部５８は、ＣＰＵ５０１からの命令によって実現され、通話端末１０間でコンテンツデータを送信するためのセッションを制御する。上記の制御としては、セッションを確立するための制御、確立されたセッションに通話端末１０参加させる制御、セッションを切断する制御等が含まれる。
【００３２】
記憶・読出部５９は、ＣＰＵ５０１からの命令及びＨＤＤ５０５によって実現され、又はＣＰＵ５０１からの命令によって実現され、記憶部５０００に各種データを記憶したり、記憶部５０００に記憶された各種データを抽出する処理を行う。
【００３３】
＜＜実施形態の処理または動作＞＞
続いて、本実施形態の通信システム１を構成する通話端末１０、及び管理システム５０の処理または動作について説明する。また、図５は、通話端末１０と管理システム５０との間のセッションを確立する処理を示したシーケンス図である。
【００３４】
通話端末１０は、送受信部１１によって、管理システム５０に対し、ログイン要求を行う（ステップＳ１）。このログイン要求には、ログイン要求元の通話端末１０を識別するための通信ＩＤ及びパスワードが含まれる。これにより、管理システム５０の送受信部５１は、ログイン要求並びに通信ＩＤ及びパスワードを受信する。
【００３５】
次に、認証部５２は、送受信部５１によって受信された通信ＩＤ及びパスワードの組と同じ組が、記憶部５０００で管理されているかを判断することで、ログイン要求元の通話端末１０の認証を行う（ステップＳ２）。なお、記憶部５０００には、認証用の通信ＩＤ及びパスワードの組が予め記憶されている。そして、この認証により、正当な通話端末であると判断された場合には、管理部５３は、端末管理テーブル（表１参照）において、ログイン要求元の端末１０の通信ＩＤに対して、稼動状態「ＯＮライン（通信可能）」、及びＩＰアドレスを管理する（ステップＳ３）。なお、ＩＰアドレスは、送受信部５１が、ログイン要求を受け付けるときに、通話端末１０から送られてくる情報から取得したものである。
【００３６】
次に、送受信部５１は、ログイン要求元の通話端末１０に対して、認証結果を送信する（ステップＳ４）。これにより、送受信部１１は、認証結果を受信する。上記ステップＳ２により、正当な通話端末であると判断された場合には、ログイン要求元の通話端末１０と管理システム５０との間でセッションｓｅｉが確立される（ステップＳ５）。
【００３７】
続いて、図６を用いて、管理システム５０へログインした各通話端末１０間でコンテンツデータを送信するためのセッションを確立する処理を説明する。なお、図６は、通話端末１０間のセッションを確立する処理を示したシーケンス図である。上記のセッションには、通話端末１０間で音データ及び撮像画像データを送信するセッションｓｅｄ１と、通話端末１０間で入力画像データを送信するセッションｓｅｄ２と、が含まれる。
【００３８】
以下、通信の開始要求元は通話端末１０ａであり、開始要求先（宛先）は通話端末１０ｂである場合について説明する。ユーザによる操作に応じて、通話端末１０ａの送受信部１１は、管理システム５０に対し、通信の開始要求を送信する（ステップＳ２１）。この通信の開始要求には、通信の開始要求元の通話端末１０ａの通信ＩＤ、及び宛先の通話端末１０ｂの通信ＩＤが含まれている。
【００３９】
管理システム５０の送受信部５１は、通信の開始要求を受信する。続いて、管理システム５０の管理部５３は、端末管理テーブル（表１参照）における、通信の開始要求元の通話端末１０ａの通信ＩＤに対して、稼動状態「ＯＮライン（通信中）」を管理する（ステップＳ２２）。
【００４０】
次に、管理システム５０の送受信部５１は、宛先の通話端末１０ｂに対して、通信の開始要求を送信する（ステップＳ２３）。この通信の開始要求には、通信の開始要求元の通話端末１０ａの通信ＩＤ及び宛先の通話端末１０ｂの通信ＩＤが含まれている。これにより、宛先の通話端末１０ｂは、通信の開始要求を受信する。
【００４１】
ユーザによる操作に応じて、通話端末１０ｂの送受信部１１は、管理システム５０に対し、応答可否を示す情報を送信する（ステップＳ２４）。以下、通話端末１０ｂが、応答可能である旨を示す情報を管理システム５０へ送信した場合について説明を続ける。
【００４２】
管理システム５０の送受信部５１は、応答可能である旨を示す情報を受信する。続いて、管理システム５０の管理部５３は、端末管理テーブル（表１参照）における、宛先の通話端末１０ｂの通信ＩＤに対して、稼動状態「ＯＮライン（通信中）」を管理する（ステップＳ２５）。
【００４３】
次に、管理システム５０の送受信部５１は、開始要求元の通話端末１０ａに対し、応答可能である旨を示す情報を送信する（ステップＳ２６）。これにより、通話端末１０ａは、送受信部１１によって、応答可能である旨を示す情報を受信する。
【００４４】
続いて、管理システム５０の、セッション制御部５８は、通話端末（１０ａ，１０ｂ）間で通信ネットワーク２を介して撮像画像データ及び音データを送信するセッションｓｅｄ１の確立を制御する（ステップＳ２７）。セッションｓｅｄ１を確立させる方法は、特に限定されないが、例えば、セッション制御部５８が、送受信部５１を介して、中継装置３０に接続するための接続情報を、通話端末（１０ａ，１０ｂ）へ送信する方法が挙げられる。通話端末（１０ａ，１０ｂ）は、接続情報に基づいて中継装置３０と接続することでセッションｓｅｄ１は確立する。
【００４５】
上記の制御に基づいて、セッションｓｅｄ１が確立されると、各通話端末（１０ａ，１０ｂ）の送受信部１１は、自端末において撮像された画像に基づく撮像画像データ、及び自端末において集音された音に基づく音データを、中継装置３０を介して相手側の通話端末（１０ｂ，１０ａ）へ送信する（ステップＳ２８）。また、各通話端末（１０ａ，１０ｂ）の送受信部１１は、相手側の通話端末（１０ｂ，１０ａ）から中継装置３０を介して送られてきた撮像画像データ及び音データを受信する。
【００４６】
続いて、管理システム５０の、セッション制御部５８は、通話端末（１０ａ，１０ｂ）間で通信ネットワーク２を介して入力画像データを送信するためのセッションｓｅｄ２の確立を制御する（ステップＳ３１）。セッションｓｅｄ２を確立させる方法は特に限定されないが、例えば、セッション制御部５８が、送受信部５１を介して、情報共有システム４０に接続するための接続情報を、通話端末（１０ａ，１０ｂ）へ送信する方法が挙げられる。この場合、通話端末（１０ａ，１０ｂ）は、接続情報に基づいて情報共有システム４０と接続することでセッションｓｅｄ２は確立する。
【００４７】
上記の制御に基づいて、セッションｓｅｄ２が確立されてから、各通話端末（１０ａ，１０ｂ）の操作入力受付部１２は、タッチパネル１２１への操作入力を受け付ける（Ｓ３２−１，Ｓ３２−２）。解析部１３は、タッチパネル１２１への操作を示すタップやストローク、スワイプ等の操作情報を解析して、入力された画像の入力画像データを生成する（ステップＳ３３−１，Ｓ３３−２）。この入力画像データは、色、太さ、座標等の情報を含んでいても良い。入力画像データが生成される度、記憶・読出部１９は、生成された入力画像データを追加的に記憶手段１０００に記憶する。
【００４８】
各通話端末（１０ａ，１０ｂ）の送受信部１１は、自端末において生成された入力画像データを、情報共有システム４０を介して相手側の通話端末（１０ｂ，１０ａ）へ送信する（ステップＳ３４−１，Ｓ３４−２）。また、各通話端末（１０ａ，１０ｂ）の送受信部１１は、相手側の通話端末（１０ｂ，１０ａ）から情報共有システム４０を介して送られてきた入力画像データを受信する。入力画像データが受信される度、記憶・読出部１９は、受信された入力画像データを追加的に記憶手段１０００に記憶する。
【００４９】
続いて、図７を用いて、各通話端末１０において、画像の表示を制御する処理について説明する。図７は、各通話端末１０において、画像の表示を制御する処理を示したフロー図である。
【００５０】
記憶部１０００には、入力画像の透過度のデフォルト値として５０％が記憶されている。なお、透過度とは、複数の画像を重畳して表示するときに画像をどの程度透過させるかを示す値であり、例えば、デジタル画像におけるアルファ値として表すことができる。
【００５１】
通話端末１０間のセッション（ｓｅｄ１，ｓｅｄ２）が確立して、通話端末１０においてコンテンツを表示可能な状態となると、通話端末１０の表示制御部１４は、記憶部１０００において記憶されている透過度（５０％）を参照する（ステップＳ４１）。
【００５２】
続いて、表示制御部１４は、白地のバックグラウンドに、記憶部１０００に記憶されている入力画像データに基づく画像、及び操作用のアイコンの画像を合成し、合成画像の透過度を参照された値（５０％）に設定（補正）する（ステップＳ４２）。なお、記憶部１０００にには、セッションｓｅｄ２が確立されてから自通話端末において生成されたすべての入力画像データ、又は他通話端末から送られてきたすべての入力画像データが記憶されている。
【００５３】
続いて表示制御部１４は、ステップＳ２８において受信される撮像画像データに基づく撮像画像（層Ｌ１）に、透過度５０％に設定された合成画像（層Ｌ２）を重畳し、更にスライダＳの画像（層Ｌ３）を重畳してディスプレイ１２０に出力する制御を行う（ステップＳ４３）。図８（Ａ）は、セッション（ｓｅｄ１，ｓｅｄ２）開始後のディスプレイの表示画像の一例を示す図である。図８（Ｂ）は、画像が重畳される様子を概念的に示した図である。
【００５４】
アイコンＩ１は、鉛筆機能、即ち、フリーハンドでタッチパネル１２１に画像を入力する機能を示すアイコンである。アイコンＩ２は、消しゴム機能、即ち、入力画像を消す機能を示すアイコンである。スライダＳは、入力画像の透過度を設定するために用いられる。操作入力受付部１２がスライダＳの移動を受け付けると、記憶・読出部１９は、移動後の位置に応じて、記憶部１０００に記憶されている透過度を更新する。なお、図８の各図では、会議が開始された直後で入力画像が生成又は受信される前の状態を示している。
【００５５】
通話端末（１０ａ，１０ｂ）間のコミュニケーションの進捗に伴い、自通話端末又は通信相手の通話端末において画像が入力されると、記憶部１０００には入力画像データが追加的に記憶される。ステップＳ４１乃至Ｓ４３の処理は、通話端末１０がセッション（ｓｅｄ１，ｓｅｄ２）から退出するまで繰り返し実行されるため、記憶部１０００に入力画像データが記憶されると、ステップＳ４１乃至Ｓ４３の処理によりディスプレイ１２０には設定された透過度の入力画像が表示される。図９（Ａ）は、入力画像の生成後又は受信後のディスプレイの表示画像の一例を示す図である。図９（Ｂ）は、画像が重畳される様子を概念的に示した図である。
【００５６】
続いて、操作入力受付部１２が、スライダＳの最上部への移動を受け付けると、記憶・読出部１９は、移動後の位置に応じて、記憶部１０００に記憶された透過度を１００％に更新する。このとき、ステップＳ４１で参照される透過度は１００％となるので、ステップＳ４２の処理によりバックグラウンド、入力画像、及びアイコン（Ｉ１，Ｉ２）は透明になり、層Ｌ２上に画像は形成されなくなる。図１０（Ａ）は、透過度１００％に設定されたときのディスプレイの表示画像の一例を示す図である。図１０（Ｂ）は、画像が重畳される様子を概念的に示した図である。これにより、撮像画像及びスライダＳのみが表示されるようになる。
【００５７】
続いて、操作入力受付部１２が、スライダの最下部への移動を受け付けると、記憶・読出部１９は、移動後の位置に応じて、記憶部１０００に記憶された透過度を０％に更新する。このとき、ステップＳ４１で参照される透過度は０％であり、ステップＳ４２の処理により層Ｌ２は不透過になる。図１１（Ａ）は、透過度０％に設定されたときのディスプレイの表示画像の一例を示す図である。図１１（Ｂ）は、画像が重畳される様子を概念的に示した図である。これにより、入力画像、アイコン（Ｉ１，Ｉ２）、スライダＳのみが表示されるようになる。
【００５８】
＜＜実施形態の変形例＞＞
続いて、本発明の他の一実施形態として、画像の表示を制御する処理の変形例について説明する。
【００５９】
変形例において、記憶部１０００には、入力画像の透過度として第１の透過度と、第２の透過度が記憶されている。第２の透過度は、第１の透過度よりも小さいことが好ましく、例えば、０％以上で第１の透過度より小さい所定の値、あるいは、第１の透過度から所定の値を減じた値である。以下、第１の透過度は１００％、第２の透過度は５０％であるものとして説明を続ける。
【００６０】
通話端末１０間のセッション（ｓｅｄ１，ｓｅｄ２）が確立して、通話端末１０においてコンテンツを表示可能な状態となると、表示制御部１４は、記憶部１０００において記憶されている第１の透過度（１００％）を参照する（ステップＳ６１）。続いて、表示制御部１４は、参照された第１の透過度（１００％）に基づいて、ステップＳ４２の処理と同様にして入力画像の透過度を設定（補正）し（ステップＳ６２）、ステップＳ４３の処理と同様にして画像の表示を制御する（ステップＳ６３）。このとき、入力画像の透過度は１００％に設定されるため、ディスプレイ１２０には、図１０において示されているような画像が表示される。
【００６１】
操作入力受付部１２において新たな画像の入力が受け付けられた場合、又は、送受信部１１において新たな入力画像データが受信された場合（ステップＳ６４のＹＥＳ）、表示制御部１４は、記憶部１０００において記憶されている第２の透過度（５０％）を参照する（ステップＳ６５）。続いて、表示制御部１４は、参照された第２の透過度（５０％）に基づいて、ステップＳ４２の処理と同様にして入力画像の透過度を設定（補正）し（ステップＳ６６）、ステップＳ４３の処理と同様にして画像の表示を制御する（ステップＳ６７）。このとき、入力画像の透過度は５０％に設定されるため、ディスプレイ１２０には、図９において示されているような画像が表示される。
【００６２】
表示制御部１４は、操作入力受付部１２において新たな画像の入力が受け付けられてから、又は、送受信部１１において新たな入力画像データが受信されてから、所定の経過時間経過したか否かを判断する（ステップＳ６８）。所定の時間経過するまで、表示制御部１４は、ステップＳ６５乃至Ｓ６７の処理を繰り返し実行する。所定の時間が経過すると、ステップＳ６１の処理に移行する。このとき、入力画像の透過度は再び１００％に設定されるため、ディスプレイ１２０には、図１０において示されているような画像が再び表示される。
【００６３】
＜＜実施形態の主な効果＞＞
続いて、上記実施形態の主な効果について説明する。
【００６４】
通話端末１０（通信端末の一例）の送受信部１１（受信手段の一例）は、他の通話端末１０によって送信される撮像画像データ（第１のコンテンツデータの一例）及び入力画像データ（第２のコンテンツデータの一例）を受信する。通話端末１０の表示制御部１４（表示制御手段の一例）は、送受信部１１によって受信された撮像画像データに基づく撮像画像（第１の画像の一例）、及び送受信部１１によって受信された入力画像データに基づく入力画像（第２の画像の一例）を表示するか、若しくは撮像画像、又は入力画像の一方を表示するかを制御する。これにより、コミュニケーションの進捗に伴い、表示される入力画像が増加して視認性が低下してきたときに、通話端末１０は入力画像又は撮像画像の一方を表示できるようになるので、視認性が向上する。
【００６５】
表示制御部１４は、入力画像の透過度を設定する。通話端末１０では、撮像画像、及び表示制御部１４によって設定された透過度の入力画像を重畳して表示する。表示制御部１４は、透過度を０％に設定することで入力画像を表示し、透過度を１００％に設定することで撮像画像を表示し、透過度をそれ以外の値に設定することで、撮像画像、及び入力画像を表示することができる。
【００６６】
送受信部１１によって新たな入力画像データが受信される前後で、表示制御部１４は、入力画像を異なる透過度に設定する。このとき、表示される入力画像の透過度の変化により、ユーザは、入力画像の更新に気づきやすくなる。
【００６７】
送受信部１１によって新たな入力画像データが受信されてから所定の時間経過すると、表示制御部１４は、入力画像を、新たな入力画像データが受信される前の透過度に設定する。これにより、次の入力画像データが受信されるときに、表示制御部１４が、上記と同様に透過度を変化させることが可能になる。
【００６８】
通話端末１０の操作入力受付部１２は、ディスプレイ１２０上に表示されるスライダＳの操作に基づいて操作入力を受け付ける。表示制御部１４は、操作入力受付部１２によって受け付けられた操作入力に基づいて、入力画像の透過度を設定する。これにより、ユーザによる操作に基づいて、入力画像の透過度を設定することが可能になる。
【００６９】
表示制御部１４は、他の通話端末１０との間のセッション（ｓｅｄ１，ｓｅｄ２）（通信セッションの一例）が確立されるときに、画像の入力を受け付けるための鉛筆機能のアイコンＩ１（インタフェースの一例）がディスプレイ１２０に表示されるよう制御する。これにより、ユーザは、テレビ会議を行うときに、鉛筆機能に気づきやすくなる。
【００７０】
管理システム５０（制御装置の一例）は、通話端末間のセッション（ｓｅｄ１，ｓｅｄ２）を確立する制御を行う。これにより、複数のセッション（ｓｅｄ１，ｓｅｄ２）を連携して確立させることが可能になる。
【００７１】
＜＜実施形態の補足＞＞
通話端末１０、及び管理システム５０用の各プログラムは、インストール可能な形式又は実行可能な形式のファイルによって、コンピュータで読み取り可能な記録媒体（記録メディア１０６等）に記録されて流通されるようにしてもよい。また、上記記録媒体の他の例として、ＣＤ−Ｒ(Compact Disc Recordable)、ＤＶＤ(Digital Versatile Disk)、ブルーレイディスク等が挙げられる。また、上記記録媒体、あるいは、これらプログラムが記憶されたＨＤ(Hard Disk)は、プログラム製品(Program Product)として、国内又は国外へ提供可能である。
【００７２】
また、上記実施形態における通話端末１０、及び管理システム５０は、それぞれ単一の装置によって構築されてもよいし、各部（機能又は手段）を分割して任意に割り当てられた複数の装置によって構築されていてもよい。
【００７３】
更に、上記では、通話端末１０（下位概念）等の画像共有装置（中位概念）によって、テレビ会議を行うことに関して説明したが、これに限るものではない。本発明は、テレビ会議を含めたより広い概念としての通信分野において上記実施形態を応用したものを含む。例えば、プロジェクターシステム、デジタルサイネージ、テキスト共有システム、カーナビゲーションシステム、ゲーム機用の通信システム等で、複数のコンテンツデータを、複数の通信端末（上位概念）間で送信する場合に、上記実施形態を応用することができる。
【符号の説明】
【００７４】
１  通信システム
２  通信ネットワーク
１０  通話端末
１１  送受信部
１２  操作入力受付部
１３  解析部
１４  表示制御部
１９  記憶・読出部
３０  中継装置
４０  情報共有システム
５０  管理システム
５１  送受信部
５２  認証部
５３  管理部
５８  セッション制御部
５９  記憶・読出処理部
１０００  記憶部
５０００  記憶部
【先行技術文献】
【特許文献】
【００７５】
【特許文献１】特許第３２３７３３９号公報
【図１】
2018041990.tif 000004
【図２】
2018041990.tif 000005
【図３】
2018041990.tif 000006
【図４】
2018041990.tif 000007
【図５】
2018041990.tif 000008
【図６】
2018041990.tif 000009
【図７】
2018041990.tif 000010
【図８】
2018041990.tif 000011
【図９】
2018041990.tif 000012
【図１０】
2018041990.tif 000013
【図１１】
2018041990.tif 000014
【図１２】
2018041990.tif 000015